【手続補正書】
【提出日】平成16年7月28日(2004.7.28)
【手続補正１】
【補正対象書類名】明細書
【補正対象項目名】特許請求の範囲
【補正方法】変更
【補正の内容】
【特許請求の範囲】
【請求項１】
ＩＣカードに発行データを書込むのに必要なＩＣカード命令データを前記ＩＣカードに入力する発行部と、
装置の起動時に操作者が所持する媒体が適正か否かを判定する判定手段と、
この判定手段の判定結果が適正であるとき前記発行部の作動を許容する制御手段と、
を具備したことを特徴とするＩＣカード発行装置。
【請求項２】
請求項１に記載のＩＣカード発行装置において、
前記判定手段は、前記媒体に記憶されている媒体認証データを同媒体から発行部に取込んでそれと発行部内に記憶している媒体認証データとを照合し、この照合結果が合致のとき媒体が適正であると判定することを特徴とするＩＣカード発行装置。
【請求項３】
請求項１に記載のＩＣカード発行装置において、
前記判定手段は、前記媒体に記憶されている種類識別データを同媒体から発行部に取込んでその媒体の種類を判別し、判別した種類が当該ＩＣカード発行装置に対応する識別用媒体であるとき、前記媒体に記憶されている媒体認証データを同媒体から発行部に取込んでそれと発行部内に記憶している媒体認証データとを照合し、この照合結果が合致のとき媒体が適正であると判定することを特徴とするＩＣカード発行装置。
【請求項４】
請求項１に記載のＩＣカード発行装置において、
前記判定手段は、キー照合命令データを発行部から前記媒体に送り、同キー照合命令データに含まれるキーデータとその媒体に記憶されているキーデータとの照合を同媒体内で実行せしめ、その照合結果を発行部に取込み、同照合結果が合致のとき媒体が適正であると判定することを特徴とするＩＣカード発行装置。
【請求項５】
請求項１に記載のＩＣカード発行装置において、
前記判定手段は、前記媒体に記憶されている種類識別データを同媒体から発行部に取込んでその媒体の種類を判別し、判別した種類が当該ＩＣカード発行装置に対応する識別用媒体であるとき、キー照合命令データを発行部から前記媒体に送り、同キー照合命令データに含まれるキーデータとその媒体に記憶されているキーデータとの照合を同媒体内で実行せしめ、その照合結果を発行部に取込み、同照合結果が合致のとき媒体が適正であると判定することを特徴とするＩＣカード発行装置。
【請求項６】
請求項１に記載のＩＣカード発行装置において、
前記判定手段は、乱数要求命令データを発行部から前記媒体に送ることにより同媒体に記憶されている乱数データを同媒体内で暗号化せしめ且つ同乱数データを発行部に取込んで暗号化し、その発行部での暗号化データを前記媒体に送って同媒体内での暗号化データと照合せしめ、その照合結果を発行部に取込み、照合結果が合致のとき媒体が適正であると判定することを特徴とするＩＣカード発行装置。
【請求項７】
請求項１に記載のＩＣカード発行装置において、
前記判定手段は、前記媒体に記憶されている種類識別データを同媒体から発行部に取込んでその媒体の種類を判別し、判別した種類が当該ＩＣカード発行装置に対応する識別用媒体であるとき、乱数要求命令データを発行部から前記媒体に送ることにより同媒体に記憶されている乱数データを同媒体内で暗号化せしめ且つ同乱数データを発行部に取込んで暗号化し、その発行部での暗号化データを前記媒体に送って同媒体内での暗号化データと照合せしめ、その照合結果を発行部に取込み、照合結果が合致のとき媒体が適正であると判定することを特徴とするＩＣカード発行装置。
【請求項８】
ＩＣカードに発行データを書込むのに必要なＩＣカード命令データを作成する制御部と、
この制御部で作成されたＩＣカード命令データを前記ＩＣカードに入力する発行部と、
装置の起動時に操作者が所持する媒体が適正か否かを判定する判定手段と、
この判定手段の判定結果が適正であるとき前記発行部の作動を許容する制御手段と、
を具備したことを特徴とするＩＣカード発行装置。
【請求項９】
請求項８に記載のＩＣカード発行装置において、
前記制御部に設けられ、作成される各ＩＣカード命令データを一括して前記発行部に送る制御手段と、
前記発行部に設けられ、前記ＩＣカードに対する各ＩＣカード命令データの入力を同ＩＣカードからの応答を確認しつつ順次に実行する制御手段と、
をさらに具備したことを特徴とするＩＣカード発行装置。
【請求項１０】
請求項８に記載のＩＣカード発行装置において、
前記制御部は、ＩＣカードを機能させるのに必要な複数のＩＣカード命令データを作成するとともに、その各ＩＣカード命令データがＩＣカードに入力された際に同ＩＣカードで使用するための応答データを作成する、
前記発行部は、前記制御部で作成される各ＩＣカード命令データおよび応答データをＩＣカードに入力する、
ことを特徴とするＩＣカード発行装置。
【請求項１１】
請求項１０に記載のＩＣカード発行装置において、
前記制御部に設けられ、作成される各ＩＣカード命令データおよび応答データを一括して前記発行部に送る第１制御手段と、
前記発行部に設けられ、前記制御部から送られる応答データを保持し、かつ前記ＩＣカードに対する各ＩＣカード命令データおよび応答データの入力を同ＩＣカードから送られる応答データと前記保持した応答データとを照合しつつ順次に実行する第２制御手段と、
をさらに具備したことを特徴とするＩＣカード発行装置。
【請求項１２】
請求項１１に記載のＩＣカード発行装置において、
前記制御部は、指定されるＩＣカードの種類に応じたＩＣカード命令データおよび応答データを作成する、
前記第２制御手段は、ＩＣカードに対する各ＩＣカード命令データおよび応答データの入力を、同ＩＣカードから送られる応答データと保持している応答データとの合致を条件に順次に実行する、
ことを特徴とするＩＣカード発行装置。
【請求項１３】
ＩＣカードに発行データを書込むのに必要なＩＣカード命令データを制御部で作成し、作成したＩＣカード命令データを発行部によりＩＣカードに入力するＩＣカード発行装置において、
装置の起動時に操作者が所持する媒体が適正か否かを判定し、この判定結果が適正であるとき前記発行部の作動を許容することを特徴とするＩＣカード発行装置の制御方法。
【請求項１４】
ＩＣカードに発行データを書込むのに必要なＩＣカード命令データを制御部で作成し、作成したＩＣカード命令データを発行部によりＩＣカードに入力するＩＣカード発行装置において、
装置の起動時に操作者が所持する媒体に記憶されている媒体認証データを同媒体から発行部に取込んでそれと発行部内に記憶している媒体認証データとを照合し、この照合結果が合致のとき媒体が適正であると判定して発行部の作動を許容することを特徴とするＩＣカード発行装置の制御方法。
【請求項１５】
ＩＣカードに発行データを書込むのに必要なＩＣカード命令データを制御部で作成し、作成したＩＣカード命令データを発行部によりＩＣカードに入力するＩＣカード発行装置において、
装置の起動時に操作者が所持する媒体に記憶されている種類識別データを同媒体から発行部に取込んでその媒体の種類を判別し、判別した種類が当該ＩＣカード発行装置に対応する識別用媒体であるとき、前記媒体に記憶されている媒体認証データを同媒体から発行部に取込んでそれと発行部内に記憶している媒体認証データとを照合し、この照合結果が合致のとき媒体が適正であると判定して発行部の作動を許容することを特徴とするＩＣカード発行装置の制御方法。
【請求項１６】
ＩＣカードに発行データを書込むのに必要なＩＣカード命令データを制御部で作成し、作成したＩＣカード命令データを発行部によりＩＣカードに入力するＩＣカード発行装置において、
装置の起動時に操作者が所持する媒体に発行部からキー照合命令データを送り、同キー照合命令データに含まれるキーデータとその媒体に記憶されているキーデータとの照合を同媒体内で実行せしめ、その照合結果を発行部に取込み、同照合結果が合致のとき媒体が適正であると判定して発行部の作動を許容することを特徴とするＩＣカード発行装置の制御方法。
【請求項１７】
ＩＣカードに発行データを書込むのに必要なＩＣカード命令データを制御部で作成し、作成したＩＣカード命令データを発行部によりＩＣカードに入力するＩＣカード発行装置において、
装置の起動時に操作者が所持する媒体に記憶されている種類識別データを同媒体から発行部に取込んでその媒体の種類を判別し、判別した種類が当該ＩＣカード発行装置に対応する識別用媒体であるとき、キー照合命令データを発行部から前記媒体に送り、同キー照合命令データに含まれるキーデータとその媒体に記憶されているキーデータとの照合を同媒体内で実行せしめ、その照合結果を発行部に取込み、同照合結果が合致のとき媒体が適正であると判定して発行部の作動を許容することを特徴とするＩＣカード発行装置の制御方法。
【請求項１８】
ＩＣカードに発行データを書込むのに必要なＩＣカード命令データを制御部で作成し、作成したＩＣカード命令データを発行部によりＩＣカードに入力するＩＣカード発行装置において、
装置の起動時に操作者が所持する媒体に発行部から乱数要求命令データを送ることにより同媒体に記憶されている乱数データを同媒体内で暗号化せしめ且つ同乱数データを発行部に取込んで暗号化し、その発行部での暗号化データを前記媒体に送って同媒体内での暗号化データと照合せしめ、その照合結果を発行部に取込み、照合結果が合致のとき媒体が適正であると判定して発行部の作動を許容することを特徴とするＩＣカード発行装置の制御方法。
【請求項１９】
ＩＣカードに発行データを書込むのに必要なＩＣカード命令データを制御部で作成し、作成したＩＣカード命令データを発行部によりＩＣカードに入力するＩＣカード発行装置において、
装置の起動時に操作者が所持する媒体に記憶されている種類識別データを同媒体から発行部に取込んでその媒体の種類を判別し、判別した種類が当該ＩＣカード発行装置に対応する識別用媒体であるとき、乱数要求命令データを発行部から前記媒体に送ることにより同媒体に記憶されている乱数データを同媒体内で暗号化せしめ且つ同乱数データを発行部に取込んで暗号化し、その発行部での暗号化データを前記媒体に送って同媒体内での暗号化データと照合せしめ、その照合結果を発行部に取込み、照合結果が合致のとき媒体が適正であると判定して発行部の作動を許容することを特徴とするＩＣカード発行装置の制御方法。
【手続補正２】
【補正対象書類名】明細書
【補正対象項目名】００１８
【補正方法】削除
【補正の内容】
【手続補正３】
【補正対象書類名】明細書
【補正対象項目名】００１９
【補正方法】変更
【補正の内容】
【００１９】
第８の発明（請求項８）のＩＣカード発行装置は、ＩＣカードに発行データを書込むのに必要なＩＣカード命令データを作成する制御部と、この制御部で作成されたＩＣカード命令データを上記ＩＣカードに入力する発行部と、装置の起動時に操作者が所持する媒体が適正か否かを判定する判定手段と、この判定手段の判定結果が適正であるとき上記発行部の作動を許容する制御手段と、を備えている。
【手続補正４】
【補正対象書類名】明細書
【補正対象項目名】００２０
【補正方法】変更
【補正の内容】
【００２０】
第９の発明（請求項９）のＩＣカード発行装置は、第８の発明において、さらに、上記制御部に設けられ、作成される各ＩＣカード命令データを一括して上記発行部に送る制御手段と、上記発行部に設けられ、上記ＩＣカードに対する各ＩＣカード命令データの入力を同ＩＣカードからの応答を確認しつつ順次に実行する制御手段と、を備える。
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】変更
【補正の内容】
【００２４】
第１０の発明（請求項１０）のＩＣカード発行装置は、第８の発明において、制御部が、ＩＣカードを機能させるのに必要な複数のＩＣカード命令データを作成するとともに、その各ＩＣカード命令データがＩＣカードに入力された際に同ＩＣカードで使用するための応答データを作成する。発行部が、上記制御部で作成される各ＩＣカード命令データおよび応答データをＩＣカードに入力する。
第１１の発明（請求項１１）のＩＣカード発行装置は、第１０の発明において、さらに、上記制御部に設けられ、作成される各ＩＣカード命令データおよび応答データを一括して上記発行部に送る第１制御手段と、上記発行部に設けられ、上記制御部から送られる応答データを保持し、かつ上記ＩＣカードに対する各ＩＣカード命令データおよび応答データの入力を同ＩＣカードから送られる応答データと上記保持した応答データとを照合しつつ順次に実行する第２制御手段と、を備える。
【手続補正９】
【補正対象書類名】明細書
【補正対象項目名】００２５
【補正方法】変更
【補正の内容】
【００２５】
第１２の発明（請求項１２）のＩＣカード発行装置は、第１１の発明において、制御部が、指定されるＩＣカードの種類に応じたＩＣカード命令データおよび応答データを作成する。第２制御手段が、ＩＣカードに対する各ＩＣカード命令データおよび応答データの入力を、同ＩＣカードから送られる応答データと保持している応答データとの合致を条件に順次に実行する。
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】変更
【補正の内容】
【００２９】
第１３の発明（請求項１３）のＩＣカード発行装置の制御方法は、ＩＣカードに発行データを書込むのに必要なＩＣカード命令データを制御部で作成し、作成したＩＣカード命令データを発行部によりＩＣカードに入力するＩＣカード発行装置において、装置の起動時に操作者が所持する媒体が適正か否かを判定し、この判定結果が適正であるとき上記発行部の作動を許容する。
【手続補正１４】
【補正対象書類名】明細書
【補正対象項目名】００３０
【補正方法】変更
【補正の内容】
【００３０】
第１４の発明（請求項１４）のＩＣカード発行装置の制御方法は、ＩＣカードに発行データを書込むのに必要なＩＣカード命令データを制御部で作成し、作成したＩＣカード命令データを発行部によりＩＣカードに入力するＩＣカード発行装置において、装置の起動時に操作者が所持する媒体に記憶されている媒体認証データを同媒体から発行部に取込んでそれと発行部内に記憶している媒体認証データとを照合し、この照合結果が合致のとき媒体が適正であると判定して発行部の作動を許容する。
【手続補正１５】
【補正対象書類名】明細書
【補正対象項目名】００３１
【補正方法】変更
【補正の内容】
【００３１】
第１５の発明（請求項１５）のＩＣカード発行装置の制御方法は、ＩＣカードに発行データを書込むのに必要なＩＣカード命令データを制御部で作成し、作成したＩＣカード命令データを発行部によりＩＣカードに入力するＩＣカード発行装置において、装置の起動時に操作者が所持する媒体に記憶されている種類識別データを同媒体から発行部に取込んでその媒体の種類を判別し、判別した種類が当該ＩＣカード発行装置に対応する識別用媒体であるとき、上記媒体に記憶されている媒体認証データを同媒体から発行部に取込んでそれと発行部内に記憶している媒体認証データとを照合し、この照合結果が合致のとき媒体が適正であると判定して発行部の作動を許容する。
【手続補正１６】
【補正対象書類名】明細書
【補正対象項目名】００３２
【補正方法】変更
【補正の内容】
【００３２】
第１６の発明（請求項１６）のＩＣカード発行装置の制御方法は、ＩＣカードに発行データを書込むのに必要なＩＣカード命令データを制御部で作成し、作成したＩＣカード命令データを発行部によりＩＣカードに入力するＩＣカード発行装置において、装置の起動時に操作者が所持する媒体に発行部からキー照合命令データを送り、同キー照合命令データに含まれるキーデータとその媒体に記憶されているキーデータとの照合を同媒体内で実行せしめ、その照合結果を発行部に取込み、同照合結果が合致のとき媒体が適正であると判定して発行部の作動を許容する。
【手続補正１７】
【補正対象書類名】明細書
【補正対象項目名】００３３
【補正方法】変更
【補正の内容】
【００３３】
第１７の発明（請求項１７）のＩＣカード発行装置の制御方法は、ＩＣカードに発行データを書込むのに必要なＩＣカード命令データを制御部で作成し、作成したＩＣカード命令データを発行部によりＩＣカードに入力するＩＣカード発行装置において、装置の起動時に操作者が所持する媒体に記憶されている種類識別データを同媒体から発行部に取込んでその媒体の種類を判別し、判別した種類が当該ＩＣカード発行装置に対応する識別用媒体であるとき、キー照合命令データを発行部から上記媒体に送り、同キー照合命令データに含まれるキーデータとその媒体に記憶されているキーデータとの照合を同媒体内で実行せしめ、その照合結果を発行部に取込み、同照合結果が合致のとき媒体が適正であると判定して発行部の作動を許容するようにしている。
【手続補正１８】
【補正対象書類名】明細書
【補正対象項目名】００３４
【補正方法】変更
【補正の内容】
【００３４】
第１８の発明（請求項１８）のＩＣカード発行装置の制御方法は、ＩＣカードに発行データを書込むのに必要なＩＣカード命令データを制御部で作成し、作成したＩＣカード命令データを発行部によりＩＣカードに入力するＩＣカード発行装置において、装置の起動時に操作者が所持する媒体に発行部から乱数要求命令データを送ることにより同媒体に記憶されている乱数データを同媒体内で暗号化せしめ且つ同乱数データを発行部に取込んで暗号化し、その発行部での暗号化データを上記媒体に送って同媒体内での暗号化データと照合せしめ、その照合結果を発行部に取込み、照合結果が合致のとき媒体が適正であると判定して発行部の作動を許容する。
【手続補正１９】
【補正対象書類名】明細書
【補正対象項目名】００３５
【補正方法】変更
【補正の内容】
【００３５】
第１９の発明（請求項１９）のＩＣカード発行装置の制御方法は、ＩＣカードに発行データを書込むのに必要なＩＣカード命令データを制御部で作成し、作成したＩＣカード命令データを発行部によりＩＣカードに入力するＩＣカード発行装置において、装置の起動時に操作者が所持する媒体に記憶されている種類識別データを同媒体から発行部に取込んでその媒体の種類を判別し、判別した種類が当該ＩＣカード発行装置に対応する識別用媒体であるとき、乱数要求命令データを発行部から上記媒体に送ることにより同媒体に記憶されている乱数データを同媒体内で暗号化せしめ且つ同乱数データを発行部に取込んで暗号化し、その発行部での暗号化データを上記媒体に送って同媒体内での暗号化データと照合せしめ、その照合結果を発行部に取込み、照合結果が合致のとき媒体が適正であると判定して発行部の作動を許容する。